(57)【要約】      （修正有）【課題】ストラップを備える携帯式パソコンを提供する。【解決手段】携帯式パソコンは、両端にバックルがそれぞれ設けられているストラップと、各バックルに対応する取付孔が設けられている操作側ケース２０と、各バックルに装着された取付部品３１と、取付部品３１を囲むように装着された押圧部品と、前記バックルと押圧部品との間に位置する弾性部品と、を備える。前記押圧部品の直径は、前記取付孔の直径より小さく、押圧部品は取付部品３１と共に、前記バックルに対して初期位置と動作位置との間で移動し、押圧部品が初期位置にある場合、前記ストラップは操作側ケース２０から取り外され、前記押圧部品が動作位置にある場合、前記押圧部品及び前記弾性部品は、前記取付孔を介して操作側ケース２０から離脱できなくなり、前記ストラップは、操作側ケース２０に固定される。【選択図】図６
2015011720.tif 000002
【特許請求の範囲】
【請求項１】
両端にバックルがそれぞれ設けられているストラップと、各バックルに対応する取付孔が設けられている操作側ケースと、各バックルに装着された取付部品と、前記取付部品を囲むように装着された押圧部品と、前記バックルと前記押圧部品との間に位置する弾性部品と、を備える携帯式パソコンであって、
前記押圧部品の直径は、前記取付孔の直径より小さく、前記押圧部品は前記取付部品と共に、前記バックルに対して初期位置と動作位置との間で移動し、
前記押圧部品が前記初期位置にある場合、前記弾性部品の外径は前記取付孔の直径より小さいので、前記押圧部品及び前記弾性部品は前記取付孔から取り出し可能であり、これにより、前記ストラップは前記操作側ケースから取り外され、
前記押圧部品が前記動作位置にある場合、前記押圧部品及び前記バックルは、前記弾性部品を圧縮して弾性変形させ、前記弾性部品の外径を前記取付孔の直径より大きくし、これにより、前記押圧部品及び前記弾性部品は、前記取付孔を介して前記操作側ケースから離脱できなくなり、前記ストラップは、前記操作側ケースに固定されることを特徴とする携帯式パソコン。
【請求項２】
前記バックルには、前記取付部品を装着するための固定孔が設けられ、前記取付部品は、前記固定孔を貫通して装着される連接部を含み、前記弾性部品及び前記押圧部品は、前記連接部の前記バックルの外へ突出する末端に順次に囲むように設けられることを特徴とする請求項１に記載の携帯式パソコン。
【請求項３】
前記バックルの一方側には、前記固定孔と同軸に位置するスリーブが設けられ、前記連接部は、前記固定孔及び前記スリーブを順次に貫通し、前記弾性部品及び前記押圧部品は、前記連接部の前記スリーブから突出する末端に順次に囲むように設けられることを特徴とする請求項２に記載の携帯式パソコン。
【請求項４】
前記連接部の直径は、前記スリーブの内径に相当し、前記連接部は、前記スリーブの中で往復移動すると共に、前記押圧部品を動かして、前記押圧部品を前記スリーブに対して前記初期位置と前記動作位置との間で移動させることを特徴とする請求項３に記載の携帯式パソコン。
【請求項５】
前記固定孔の直径は、前記連接部の直径に相当し、前記スリーブの内径は、前記固定孔の直径に相当し、前記スリーブの外径は、前記取付孔の直径に相当することを特徴とする請求項４に記載の携帯式パソコン。
【請求項６】
前記取付部品は、前記連接部に連接されるヘッド部をさらに含み、前記ヘッド部の直径は、前記固定孔の直径より大きいことを特徴とする請求項４に記載の携帯式パソコン。
【請求項７】
前記押圧部品が前記初期位置にある場合、前記弾性部品は第一外径及び第一厚さを有し、前記押圧部品が前記動作位置にある場合、前記弾性部品は第二外径及び第二厚さを有し、前記第一外径は前記第二外径より小さく、前記第一厚さは、前記第二厚さより大きいことを特徴とする請求項３に記載の携帯式パソコン。
【請求項８】
前記押圧部品が前記初期位置にある場合、前記スリーブと前記押圧部品との間の距離は、前記第一厚さに相当し、前記押圧部品が前記動作位置にある場合、前記スリーブと前記押圧部品との間の距離は、前記第二厚さに相当することを特徴とする請求項７に記載の携帯式パソコン。
【請求項９】
前記連接部の外面には、雌ねじ山が設けられており、前記固定孔及び前記押圧部品の内面には、前記雌ねじ山と組み合わさる雄ねじ山が設けられていることを特徴とする請求項２に記載の携帯式パソコン。
【発明の詳細な説明】
【技術分野】
【０００１】
本発明は、携帯式パソコンに関し、特にストラップを備える携帯式パソコンに関するものである。
【背景技術】
【０００２】
従来のデスクトップ型コンピュータに比べて、携帯式パソコンは携帯し易い利点を有するため、消費者に好まれている。しかし、携帯式パソコン自体に、携帯用部品が取り付けられていないため、ユーザは、携帯式パソコンを外に携帯したい場合、携帯式パソコンを収容するためのバッグ等を別に使用しなければならない。従って、非常に不便である。
【発明の概要】
【発明が解決しようとする課題】
【０００３】
以上の問題点に鑑みて、本発明は、ストラップを備える携帯式パソコンを提供することを目的とする。
【課題を解決するための手段】
【０００４】
上記の目的を達成するために、本発明に係る携帯式パソコンは、両端にバックルがそれぞれ設けられているストラップと、各バックルに対応する取付孔が設けられている操作側ケースと、各バックルに装着された取付部品と、前記取付部品を囲むように装着された押圧部品と、前記バックルと前記押圧部品との間に位置する弾性部品と、を備える。前記押圧部品の直径は、前記取付孔の直径より小さく、前記押圧部品は前記取付部品と共に、前記バックルに対して初期位置と動作位置との間で移動し、前記押圧部品が前記初期位置にある場合、前記弾性部品の外径は前記取付孔の直径より小さいので、前記押圧部品及び前記弾性部品は前記取付孔から取り外し可能であり、これにより、前記ストラップは前記操作側ケースから取り外され、前記押圧部品が前記動作位置にある場合、前記押圧部品及び前記バックルは、前記弾性部品を圧縮して弾性変形させ、前記弾性部品の外径を前記取付孔の直径より大きくし、これにより、前記押圧部品及び前記弾性部品は、前記取付孔を介して前記操作側ケースから離脱できなくなり、前記ストラップは、前記操作側ケースに固定される。
【発明の効果】
【０００５】
従来の技術と異なり、本発明の携帯式パソコンにおいて、バックルと押圧部品との間に装着される弾性部品が自然状態にある場合、前記押圧部品及び前記弾性部品は、操作側ケースの取付孔内に挿入可能であり、又は前記取付孔から取り外し可能である。また、前記弾性部品が前記バックル及び前記押圧部品により圧縮されて弾性変形される場合、前記弾性部品の外径は前記取付孔の直径より大きく、前記押圧部品及び前記弾性部品は前記取付孔から離脱できなくなり、ストラップは携帯式パソコンの前記操作側ケースに安定的に固定される。このようにして、本発明は、携帯式パソコンに対してストラップを容易に着脱することができる。よって、ユーザは、外出する時に前記ストラップを使用することで携帯式パソコンを容易に携帯できるため、非常に便利である。
【図面の簡単な説明】
【０００６】
【図１】本発明の実施形態に係る携帯式パソコンの分解図である。
【図２】図１に示したＩＩ部の拡大図である。
【図３】図１に示したＩＩ部の組立図である。
【図４】図３の組立図であり、押圧部品が初期位置にある。
【図５】図３の組立図であり、押圧部品が動作位置にある。
【図６】図１に示した携帯式パソコンの全体の組立図である。
【図７】図６に示したＶＩＩ−ＶＩＩ線に沿った断面図である。
【発明を実施するための形態】
【０００７】
図１及び図２に示すように、本発明の実施形態に係る携帯式パソコンは、操作側ケース２０と、操作側ケース２０に回転可能に装着される表示側ケース１０と、操作側ケース２０に装着されるストラップ３０と、を備える。操作側ケース２０の両側には、ストラップ３０を装着するための取付孔２１０がそれぞれ設けられている。また、操作側ケース２０の上面には、キーボードエリア及びタッチパッドがさらに設けられている。ストラップ３０は、細長い形状の帯体３７及び帯体３７の両端にそれぞれ連接されるバックル３６を備える。２つのバックル３６を２つの取付部品３１、２つの弾性部品３２及び２つの押圧部品３３とそれぞれ組み合わせることによって、帯体３７の両端を操作側ケース２０に装着することができる。
【０００８】
各取付部品３１は、互いに連接されているヘッド部３１１及び連接部３１２を含む。ヘッド部３１１の直径は、連接部３１２の直径より大きい。連接部３１２の直径は、弾性部品３２の内径に相当する。弾性部品３２は、連接部３１２を取り囲むように装着される。弾性部品３２が自然状態にある時、弾性部品３２の外径は取付孔２１０の直径より小さく、弾性部品３２の長さは連接部３１２の長さより小さい。押圧部品３３の内径は、連接部３１２の外径に相当する。押圧部品３３の外径は、弾性部品３２の自然状態の外径に相当する。連接部３１２の外面には雌ねじ山が設けられており、押圧部品３３の内面には連接部３１２と組み合わさる雄ねじ山が設けられている。
【０００９】
本実施形態において、連接部３１２はボルトであり、押圧部品３３はナットであり、弾性部品３２は弾性ゴムにより製造される。
【００１０】
各バックル３６には、取付部品３１を装着するための固定孔３６０が設けられている。固定孔３６０の直径は、連接部３１２の直径に相当する。また、各バックル３６には、固定孔３６０の軸方向に沿ってスリーブ３６２が設けられている。スリーブ３６２の内径は、固定孔３６０の直径に相当する。スリーブ３６２の外径は、弾性部品３２の自然状態の外径に相当する。スリーブ３６２及び固定孔３６０の内面には、連接部３１２の外面の雌ねじ山と組み合わさる雄ねじ山がそれぞれ設けられている。連接部３１２の長さは、スリーブ３６２の長さ、自然状態にある弾性部品３２の長さ及び押圧部品３３の長さの総和より長い。
【００１１】
図３及び図７に示すように、ストラップ３０を携帯式パソコンに装着する場合、先ず、第一回転方向にヘッド部３１１を回転して、連接部３１２を第一方向に沿って固定孔３６０及びスリーブ３６２に貫通させ、ヘッド部３１１がバックル３６の側面に当接すると回転を停止する。この時、連接部３１２の末端は、スリーブ３６２から突出して延在する。
【００１２】
次に、弾性部品３２及び押圧部品３３を前記第一方向と相反する第二方向に沿って移動させながら、順次に連接部３１２のスリーブ３６２から突出している末端に装着する。この時、弾性部品３２の一端はスリーブ３６２の端面とドッキングして互いに当接し、弾性部品３２の他端は押圧部品３３の端面とドッキングして互いに当接する。押圧部品３３が初期位置（図３を参照）にある場合、弾性部品３２は第一厚さ及び第一外径を有する。前記第一外径は、前記取付孔２１０の直径より小さい。スリーブ３６２と押圧部３３との間の距離は、前記第一厚さに相当する。これにより、弾性部品３２及び押圧部品３３を、取付孔２１０に自由に貫通させ、又は取付孔２１０から自由に取り外すことができる。
【００１３】
次に、押圧部品３３と取付孔２１０との位置を合わせた後、弾性部品３２及び押圧部品３３を取付孔２１０内に挿入して、前記第一方向に沿ってバックル３６を移動して、バックル３６の内面を操作側ケース２０の外面に当接させる。この時、図４に示すように、スリーブ３６２は取付孔２１０の中に位置し、弾性部品３２及び押圧部品３３は取付孔２１０を貫通して操作側ケース２０内に延伸している。
【００１４】
次に、バックル３６を操作側ケース２０の外面に当接させた状態で、前記第一回転方向と相反する第二回転方向にヘッド部３１１を回転して、押圧部品３３がスリーブ３６２に近い動作位置に移動する（図５及び図７を参照）まで、連接部３１２をスリーブ３６２の中で前記第二方向に沿って移動させる。この時、スリーブ３６２及び押圧部品３３は、弾性部品３２を押圧して、弾性部品３２を弾性変形させる。弾性部品３２は、圧縮状態において、軸方向に沿って、第二厚さ及び第二外径を有する。前記第二厚さは、前記第一厚さより厚い。前記第二外径は、前記第一外径より大きい。スリーブ３６２と押圧部品３３との間の距離は、前記第二厚さに相当する。取付孔２１０の直径は、前記第二外径より小さい。弾性部品３２の外径が取付孔２１０の直径より大きいため、弾性部品３２及び押圧部品３３は取付孔２１０を介して操作側ケース２０から離脱することはできない。このようにして、取付部品３１、弾性部品３２、押圧部品３３及びバックル３６の共同作用によって、ストラップ３０の帯体３７を、携帯式パソコンの操作側ケース２０に安定的に装着できる。
【００１５】
ストラップ３０を取り外す場合、手でバックル３６を固定して、前記第一回転方向にヘッド部３１１を回転して、連接部３１２をスリーブ３６２の中で前記第一方向に沿って移動させる。これにより、押圧部品３３は、連接部３１２に伴って移動して、前記動作位置から前記初期位置に戻る。弾性部品３２は、前記第一外径及び前記第一厚さを有するように弾性復帰する。この時、弾性部品３２の外径が取付孔２１０の直径より小さくなるので、スリーブ３６２は取付孔２１０から離脱し、バックル３６を操作側ケース２０から取り外すことができる。
【符号の説明】
【００１６】
１０  表示側ケース
２０  操作側ケース
２１０  取付孔
３０  ストラップ
３１  取付部品
３１１  ヘッド部
３１２  連接部
３２  弾性部品
３３  押圧部品
３６  バックル
３６０  固定孔
３６２  スリーブ
３７  帯体
【図１】
2015011720.tif 000003
【図２】
2015011720.tif 000004
【図３】
2015011720.tif 000005
【図４】
2015011720.tif 000006
【図５】
2015011720.tif 000007
【図６】
2015011720.tif 000008
【図７】
2015011720.tif 000009